(57)【要約】      （修正有）【課題】マルチメディア放送システムに関してライセンス管理された番組コンテンツの配信を実現し、狭領域で番組コンテンツを視聴できる放送システムを構築する。【解決手段】マルチメディア放送の番組コンテンツが地域に関連した情報である場合に、地域情報を番組表に付加し、移動局の位置情報と比較することによって番組情報の提供や番組のライセンス管理を行う。【選択図】図１
2012039418.tif 000002
【特許請求の範囲】
【請求項１】
デジタル放送を受信する受信手段と、
通信ネットワークに接続可能な通信手段と、
移動局の位置情報を取得する位置情報取得手段と、
前記デジタル放送の放送番組に関する番組関連情報を有する番組関連情報サーバに前記通信ネットワーク経由で接続し、番組関連情報を要求する制御手段とを備える移動局であって、
前記制御手段は、番組関連情報の要求時に移動局の位置情報を前記番組関連情報サーバに送信することを特徴とする移動局。
【請求項２】
前記番組関連情報は、視聴ライセンスであることを特徴とする請求項１記載の移動局。
【請求項３】
前記番組関連情報は、番組コンテンツ情報であることを特徴とする請求項１記載の移動局。
【請求項４】
前記位置情報は、ＧＰＳによって取得されることを特徴とする請求項１記載の移動局。
【請求項５】
前記位置情報は、移動局の現在の位置座標を含むことを特徴とする請求項１記載の移動局。
【請求項６】
前記位置情報は、移動局の未来の位置座標を含むことを特徴とする請求項１記載の移動局。
【請求項７】
スケジュール帳機能を備え、前記未来の位置座標はスケジュール帳機能により予測することを特徴とする請求項６記載の移動局。
【請求項８】
過去の位置情報を格納する記憶部を備え、前記未来の位置座標は過去の位置情報により予測することを特徴とする請求項６記載の移動局。
【請求項９】
デジタル放送の番組関連情報を発行する番組関連情報発行手段と、
通信ネットワークを通じて番組関連情報の要求を受け付ける受付手段と、を備える番組関連情報サーバであって、
前記番組関連情報発行手段は、移動局の位置情報に基づいて番組関連情報の発行を行うことを特徴とする番組関連情報サーバ。
【請求項１０】
前記番組関連情報は、視聴ライセンスであることを特徴とする請求項９記載の番組関連情報サーバ。
【請求項１１】
前記番組関連情報は、番組コンテンツ情報であることを特徴とする請求項９記載の番組関連情報サーバ。
【請求項１２】
前記番組関連情報発行手段は、番組コンテンツの地域情報に基づいて前記番組関連情報の発行を行うことを特徴とする請求項９記載の番組関連情報サーバ。
【請求項１３】
デジタル放送を送信する送信手段を備えた放送局と、
デジタル放送の番組関連情報を発行する番組関連情報発行手段と、通信ネットワークを通じて番組関連情報の要求を受け付ける受付手段とからなる番組関連情報サーバと、
デジタル放送を受信する受信手段と、通信ネットワークに接続可能な通信手段と、移動局の位置情報を取得する位置情報取得手段と、前記デジタル放送の放送番組に関する番組関連情報を有する番組関連情報サーバに前記通信ネットワーク経由で接続し、番組関連情報を要求する制御手段とを備える移動局とからなるデジタル放送システムであって、
移動局からの位置情報に基づいて番組関連情報を発行することにより、特定のエリアでデジタル放送の番組関連情報の取得を可能にすることを特徴とするデジタル放送システム。
【請求項１４】
前記番組関連情報は、視聴ライセンスであることを特徴とする請求項１３記載のデジタル放送システム。
【請求項１５】
前記番組関連情報は、番組コンテンツ情報であることを特徴とする請求項１３記載のデジタル放送システム。
【請求項１６】
前記番組関連情報発行手段は、番組コンテンツの地域情報に基づいて前記番組関連情報の発行を行うことを特徴とする請求項１３記載のデジタル放送システム。
【発明の詳細な説明】
【技術分野】
【０００１】
本発明は、マルチメディア放送システムおよび移動局、放送局、通信基地局、番組情報サーバに関する。
【背景技術】
【０００２】
２０１１年のアナログ放送停波後の空き周波数帯の将来的な使用方法について、以前よりマルチメディア放送などが検討されていた。その中の一つにISDB-Tmm(Integrated Services Digital Broadcasting Terrestrial Mobile Multi-Media Broadcasting)方式の携帯端末向けマルチメディア放送が空き周波数帯を利用したサービスとして検討されている。
【０００３】
現在、日本の携帯端末で受信できるマルチメディア放送として地上デジタル放送のワンセグがあり、ISDB-T方式の一部に基づいて放送されている。マルチメディア放送には、高速道路サービスエリア、地方郊外型大規模ショッピングモール、地域の特定目的コミュニティ、行政の防災対応などを対象としたデジタル新型コミュニティ放送も含まれる。
【０００４】
上記ISDB-Tmmは現在のISDB-Tを発展させた放送規格で、２種類の放送形態を想定している。一つはワンセグと同様のストリーム型放送でリアルタイム映像を視聴でき、もう一つはダウンロード型放送である。ダウンロード型放送は、ニュース・映像コンテンツなど短い時間のコンテンツをあらかじめ携帯端末に配信して蓄積させることで、ユーザーが好きなときに視聴できるという新しい放送サービスや課金システムが検討されている。
【０００５】
そこで、非特許文献１では、ストリーミングなどのコンテンツを配信するサービスにおいて、ライセンス管理することで課金システムを構築することも検討されている。このときライセンス発行などに通信機能を使うアクセス制御方式がある。
【先行技術文献】
【非特許文献】
【０００６】
【非特許文献１】"携帯端末向けマルチメディア放送システムISDB-Tmm(Integrated Services Digital Broadcasting Terrestrial Mobile Multi-Media Broadcasting)の概要″、［online］、平成20年11月28日、情報通信審議会 放送システム委員会  マルチメディア放送システム作業班アドホックグループ１、［平成22年3月25日検索］、インターネット〈URL：http://tokkyo.shinsakijun.com/information/newtech.html〉
【発明の概要】
【発明が解決しようとする課題】
【０００７】
しかしながら、上述したようなISDB-Tmm方式を使用した携帯端末向けマルチメディア放送サービスには、狭い地域に特化した放送サービスを効率的に受信できないという課題がある。
【０００８】
例えば、図１５(ａ)に示すように、放送エリアＡ１０００へISDB-Tmm方式のマルチメディア放送を配信する放送局１０００と、放送エリア内にエリアＸ、エリアＹ、エリアＺが存在し、それぞれにISDB-Tmm方式のマルチメディア放送を受信するライセンスを有している携帯端末(移動局)２００１、２００２、２００３が存在しているとする。ここで、エリアＸ、エリアＹ、エリアＺは、高速道路サービスエリア、地方郊外型大規模ショッピングモール、地域の特定目的コミュニティ、行政の防災対応などを対象としたデジタル新型コミュニティ放送などが実施されるエリアであって、従来のアナログ放送に比べ放送範囲の狭い領域(面積)を想定している。このような状況下で放送局１０００からエリアＺ用の放送データが配信されると、放送データのコンテンツと関連していない地域の携帯端末(移動局)２００１、２００２もデータを受信してしまう。
【０００９】
そこで地域毎に関連した情報を配信するために、図１５(ｂ)に示すようにエリアＸ、エリアＹ、エリアＺのそれぞれに放送局１００１、１００２、１００３を設置すると、設置コストが掛かる。また、高速道路サービスエリアやショッピングモールなどでマルチメディア放送を利用し情報配信を行う場合、放送するエリアが限られるだけでなく、情報自体も道路情報や買い物情報のように限定され、データ量は少ないので、運用コストも割高になる。
【００１０】
本発明はかかる事情に鑑みてなされたものであり、マルチメディア放送システムに関し、狭領域で番組コンテンツを視聴できる放送システムを高額なコストを掛けることなく構築することを目的とする。
【課題を解決するための手段】
【００１１】
本発明の移動局は、デジタル放送を受信する受信手段と、通信ネットワークに接続可能な通信手段と、移動局の位置情報を取得する位置情報取得手段と、デジタル放送の放送番組に関する番組関連情報を有する番組関連情報サーバに通信ネットワーク経由で接続し、番組関連情報を要求する制御手段とを備えており、制御手段は、番組関連情報の要求時に移動局の位置情報を前記番組関連情報サーバに送信することを特徴とする。また、本発明の移動局は、番組関連情報が視聴ライセンスであることも特徴とする。また、本発明の移動局は、番組関連情報が番組コンテンツ情報であることも特徴とする。また、本発明の移動局は、位置情報がＧＰＳによって取得されることも特徴とする。また、本発明の移動局は、位置情報が移動局の現在の位置座標を含むことも特徴とする。また、本発明の移動局は、位置情報が、移動局の未来の位置座標を含むことも特徴とする。また、本発明の移動局は、スケジュール帳機能を備えており、未来の位置座標はスケジュール帳機能により予測することも特徴とする。また、本発明の移動局は、過去の位置情報を格納する記憶部を備えており、未来の位置座標は過去の位置情報により予測することも特徴とする。
【００１２】
本発明の番組関連情報サーバは、デジタル放送の番組関連情報を発行する番組関連情報発行手段と、通信ネットワークを通じて番組関連情報の要求を受け付ける受付手段とを備えており、番組関連情報発行手段は、移動局の位置情報に基づいて番組関連情報の発行を行うことを特徴とする。また、本発明の番組関連情報サーバは、番組関連情報が視聴ライセンスであることも特徴とする。また、本発明の番組関連情報サーバは、番組関連情報が番組コンテンツ情報であることも特徴とする。また、本発明の番組関連情報サーバは、番組関連情報発行手段が番組コンテンツの地域情報に基づいて番組関連情報の発行を行うことも特徴とする。
【００１３】
本発明のデジタル放送システムは、デジタル放送を送信する送信手段を備えた放送局と、デジタル放送の番組関連情報を発行する番組関連情報発行手段と、通信ネットワークを通じて番組関連情報の要求を受け付ける受付手段とからなる番組関連情報サーバと、デジタル放送を受信する受信手段と、通信ネットワークに接続可能な通信手段と、移動局の位置情報を取得する位置情報取得手段と、前記デジタル放送の放送番組に関する番組関連情報を有する番組関連情報サーバに前記通信ネットワーク経由で接続し、番組関連情報を要求する制御手段とを備える移動局とからなるデジタル放送システムであって、移動局からの位置情報に基づいて番組関連情報を発行することにより、特定のエリアでデジタル放送の番組関連情報の取得を可能にすることを特徴とする。また、本発明のデジタル放送システムは、番組関連情報が視聴ライセンスであることも特徴とする。また、本発明のデジタル放送システムは、番組関連情報が番組コンテンツ情報であることも特徴とする。また、本発明のデジタル放送システムは、番組関連情報発行手段が番組コンテンツの地域情報に基づいて番組関連情報の発行を行うことも特徴とする。
【発明の効果】
【００１４】
本発明にかかるマルチメディア放送システム、放送局、移動局、通信基地局及びサーバによれば、移動局が狭領域で番組コンテンツを視聴できる放送サービスを提供できる放送システムを構築することが可能となる。
【図面の簡単な説明】
【００１５】
【図１】実施形態１における携帯端末向けマルチメディア放送システムの構成を示すブロック図である。
【図２】実施形態１における移動局の構成を示すブロック図である。
【図３】実施形態１における通信基地局の構成を示すブロック図である。
【図４】実施形態１における放送局の構成を示すブロック図である。
【図５】実施形態１における番組関連情報サーバの構成を示すブロック図である。
【図６】実施形態１における番組表である。
【図７】実施形態１におけるマルチメディア放送システムの動作シーケンス図である。
【図８】実施形態２におけるマルチメディア放送システムの説明図である。
【図９】実施形態２における番組表である。
【図１０】実施形態３におけるマルチメディア放送システムの動作シーケンス図である。
【図１１】実施形態４におけるマルチメディア放送システムの構成図である。
【図１２】実施形態４における移動局の構成を示すブロック図である。
【図１３】実施形態４におけるマルチメディア放送システムの動作シーケンス図である。
【図１４】実施形態４における番組表である。
【図１５】従来の携帯端末向けマルチメディア放送サービスの説明図である。
【発明を実施するための形態】
【００１６】
本発明の実施形態では、主に放送局から放送される野球やサッカーなどのスポーツ番組や報道番組やドラマなどに加え、特定地域向け情報番組や道路情報番組、買い物情報番組、災害情報番組などのサービス情報を扱う番組も加えて、番組コンテンツとする。また番組の内容が地域に関連している場合、その地域を示す情報を番組コンテンツエリア情報とする。番組コンテンツエリア情報に記載される地域は、都道府県や市町村などの比較的広い地域から、高速道路サービスエリア、ショッピングモール、イベント会場などの特定エリアまで様々である。本発明の実施形態では、高速道路サービスエリア、ショッピングモールなどの面積の狭い地域を狭領域と表現する。
以下に、マルチメディア放送を受信する移動局の位置情報と番組コンテンツエリア情報を使用して、狭領域向けマルチメディア放送サービスを実現する実施形態について説明する。
【００１７】
［実施形態１］
図１から７を参照して実施形態１を説明する。図１は実施形態１におけるマルチメディア放送システム(デジタル放送システム)を示す模式図である。図１(ａ)に示すように、実施形態１のマルチメディア放送システムは、マルチメディア番組コンテンツを配信する放送局１００と、携帯電話や情報携帯端末などの移動通信端末(以下、移動局とする)１０１と、移動局１０１と無線通信を行う通信基地局１０２、１０３、１０４と、放送局１００から配信される番組コンテンツに関する情報の提供を行う番組関連情報サーバ１０７、および通信基地局と放送局と番組関連情報サーバを接続する通信ネットワーク１０６によって構成される。また、図１(ｂ)は、図１(ａ)で移動局１０１が通信基地局１０２と通信しつつ、放送局１００からの放送サービスを受信可能である様子を各構成のブロック図によって図示したものである。放送局１００は、全国向けの番組放送の他に、特定の受信地域を対象とした各地域向けの地域限定番組の放送も行う。移動局１０１は、この地域限定番組を視聴するために、ライセンスを必要とする。このライセンスを入手するために移動局１０１は、通信基地局を介して番組関連情報サーバ１０７に接続する。番組関連情報サーバ１０７は、移動局１０１から送信される移動局の位置情報に基づいて所在位置に関係した地域限定番組の視聴ライセンスを移動局１０１に発行する。詳細は以下に説明する。なお、図１(ａ)の破線で示した放送エリアＡ１００は放送局１００の放送エリア(範囲)を示し、Ｃ１０２、Ｃ１０３、Ｃ１０４はそれぞれ通信基地局１０２、１０３、１０４の通信エリア(セル範囲)を示している。各通信基地局は放送エリアＡ１００内に在圏しており、移動局１０１は、セル範囲であるＣ１０２と放送範囲である１０１Ａに在圏しているため、通信基地局１０２と通信可能であり、放送局１００からのマルチメディア放送(デジタル放送)サービスを受信可能である。
【００１８】
図２は、図１記載の移動局１０１の構成を示す概略ブロック図である。図２に示すように移動局１０１は、制御部２０１、放送受信部２０２、無線部２０３、位置情報取得部２０４、記憶部２０５、放送信号処理部２０６、無線信号処理部２０７、放送アンテナ２１２、無線通信アンテナ２１３、GPSアンテナ２１４、表示部２１５が構成され、記憶部２０５内には、ライセンス格納部２１６とコンテンツ情報格納部２１７を有する番組関連情報格納部２０８と、位置情報格納部２０９、コンテンツ格納部２１０、番組表格納部２１１が更に構成される。
【００１９】
移動局１０１は、通信基地局１０２との一般的な無線通信や放送局１００からの放送データの受信、移動局１０１の位置の特定などを行う。放送局１００から送信される放送データは、主に番組コンテンツと番組表であり、通信基地局１０２、１０３、１０４からは、番組コンテンツに関連する番組関連情報が送信される。番組関連情報の取得は、移動局１０１が通信基地局１０２を介して番組関連情報サーバ１０７へ要求し、番組関連情報サーバ１０７がユーザーからの番組関連情報の要求を受け付け、番組関連情報サーバ１０７が番組関連情報の要求を通信基地局１０２を介して移動局１０１へ送信し、移動局１０１が受信することで実行される。受信した番組関連情報は、無線通信アンテナ２１３と無線部２０３と無線信号処理部２０７による処理を経て、制御部２０１から記憶部２０５に構成される番組関連情報格納部２０８に格納される。以下に移動局１０１の各構成の動作を説明する。
【００２０】
無線通信アンテナ２１３は、通信基地局１０２が送信する信号を受信し、無線部２０３へ出力する。また無線通信アンテナ２１３は、無線部２０３が出力する信号を、無線信号として通信基地局１０２へ送信する。無線部２０３は、無線通信アンテナ２１３が出力する信号に対して、ダウンコンバートを行い、無線信号処理部２０７に出力する。また、無線部２０３は無線信号処理部２０７が出力する信号に対してアップコンバートを行い無線通信アンテナ２１３へ出力する。
【００２１】
無線信号処理部２０７は、無線部２０３が出力する信号に対して復調処理を行い、制御部２０１に出力する。また、無線信号処理部２０７は、移動局１０１が通信基地局１０２へ送信するデータを、制御部２０１から取得し、変調の処理を行い、無線部２０３に出力する。
放送アンテナ２１２は、放送局１００から放送番組(番組コンテンツ)や番組表などのデータを受信し、放送受信部２０２へ出力する。放送受信部２０２は、放送アンテナ２１２が出力する信号に対して、ダウンコンバートを行い、放送信号処理部２０６に出力する。放送信号処理部２０６は、放送受信部２０２が出力する信号に対して復調処理や誤り訂正処理などを行い、制御部２０１に出力する。
【００２２】
放送局１００から受信された番組コンテンツや番組表は、放送アンテナ２１２と放送受信部２０２と放送信号処理部２０６による処理を経て、制御部２０１から記憶部２０５に構成されるコンテンツ格納部２１０と番組表格納部２１１へそれぞれ格納される。
【００２３】
位置情報取得部２０４は、移動局１０１の位置情報を取得し、制御部２０１に出力する。なお、位置情報の具体的な取得方法は本発明の範囲外であり特に限定されない。例えば、位置情報取得部２０４が、移動局１０１の位置を決定するための情報をGPS(Global Positioning System)衛星からGPSアンテナ２１４を通して取得し、位置を特定することも可能であるし、制御部２０１が通信基地局１０２から受信したA-GPS(Assisted- Global Positioning System)のリファレンスポジションのような位置に関する情報を利用して、位置情報取得部２０４が移動局の位置を特定することも可能である。またWi-Fi信号を使用する位置検出方法もある。位置情報取得部２０４は移動局の位置を取得または決定すると制御部２０１へ出力し、制御部２０１は記憶部２０５に構成される位置情報格納部２０９へ格納する。
制御部２０１は、無線信号処理部２０７が出力するデータを記憶部２０５へ格納する。また制御部２０１は、記憶部２０５に格納されたデータを無線信号処理部２０７へ出力する。
【００２４】
図３は、図１記載の通信基地局１０２の構成を示す概略ブロック図である。図３に示すように通信基地局１０２は、制御部３０１、ネットワークＩ／Ｆ(インターフェース)３０２、無線部３０３、記憶部３０４、無線信号処理部３０５、無線通信アンテナ３０６によって構成される。なお、図１の通信基地局１０３と１０４の構成も同様である。以下に通信基地局１０２の各構成の動作を説明する。
【００２５】
無線通信アンテナ３０６は、無線部３０３が出力する信号を、無線信号として移動局１０１へ送信する。また、無線通信アンテナ３０６は、移動局１０１が送信する信号を受信し、無線部３０３に出力する。
無線部３０３は、無線通信アンテナ３０６が出力する信号に対して、ダウンコンバートを行い、無線信号処理部３０５に出力する。また、無線部３０３は、無線信号処理部３０５が出力する信号に対して、アップコンバートを行い、無線通信アンテナ３０６に出力する。
【００２６】
無線信号処理部３０５は、無線部３０３が出力する信号に対して復調の処理を行い、制御部３０１へ出力する。また無線信号処理部３０５は、通信基地局１０２が移動局１０１に送信するデータを、制御部３０１から取得し、変調の処理を行い、無線部３０３へ出力する。
【００２７】
ネットワークＩ／Ｆ３０２は、図１記載の通信ネットワーク１０６を介して、放送局１００と番組関連情報サーバ１０７と接続され、放送局１００や番組関連情報サーバ１０７から受信したデータを制御部３０１に出力する。またネットワークＩ／Ｆ３０２は、放送局１００や番組関連情報サーバ１０７へ送信するデータを制御部３０１から取得する。
【００２８】
制御部３０１は、無線信号処理部３０５が出力するデータやネットワークＩ／Ｆ３０２が出力するデータを記憶部３０４へ格納する。また制御部３０１は、記憶部３０４に格納されたデータを無線信号処理部３０５やネットワークＩ／Ｆ３０２へ出力する。
【００２９】
図４は、図１記載の放送局１００の構成を示す概略ブロック図である。図４に示すように放送局１００は、制御部４０１、放送送信部４０２、ネットワークＩ／Ｆ４０３、記憶部４０４、放送信号処理部４０５、番組コンテンツ管理部４０６、放送アンテナ４０８によって構成され、記憶部４０４には番組表格納部４０７が更に構成される。以下に放送局１００の各構成の動作を説明する。
【００３０】
放送アンテナ４０８は、放送送信部４０２が出力する信号を放送波として移動局１０１へ送信する。放送送信部４０２は、放送信号処理部４０５が出力する信号に対して誤り訂正符号の追加やディジタル変調などを行い放送アンテナ４０８に出力する。
【００３１】
放送信号処理部４０５は、移動局１０１へ放送する番組コンテンツや番組表などのデータを制御部４０１から取得し、映像符号化や音声符号化などの情報源符号化処理や多重化処理、パケット化などの処理を行い放送送信部４０２に出力する。
【００３２】
ネットワークＩ／Ｆ４０３は、図１記載の通信ネットワーク１０６を介して、通信基地局１０２や番組関連情報サーバ１０７と接続され、番組関連情報サーバ１０７へ送信する番組表を制御部４０１から取得する。また、ネットワークＩ／Ｆ４０３は、通信基地局１０２や番組関連情報サーバ１０７から受信したデータを制御部４０１へ出力することも可能である。
【００３３】
番組コンテンツ管理部４０６は、記憶部４０４の番組表格納部４０７へ格納された番組表などのデータを制御部４０１に出力する。また、番組コンテンツ管理部４０６は番組コンテンツデータを制御部４０１から取得し記憶部４０４へ格納する。
【００３４】
制御部４０１は、番組コンテンツ管理部４０６から番組表などのデータを取得し、放送信号処理部４０５やネットワークＩ／Ｆ４０３へ出力する。また、制御部４０１は、番組コンテンツ以外のデータも、記憶部４０４へ出力したり、記憶部４０４から取得する。また、制御部４０１は、ネットワークＩ／Ｆ４０３が出力するデータを取得し、番組コンテンツ管理部４０６または記憶部４０４へ出力する。
【００３５】
記憶部４０４は、番組表や番組コンテンツに関連するデータを格納し、番組コンテンツ管理部４０６へ出力する。また、記憶部４０４は番組コンテンツ管理部４０６から番組コンテンツに関連するデータを取得する。記憶部４０４は、番組コンテンツ以外の放送システムに必要なソフトウエアやデータなどを格納し、制御部４０１へ出力する。また、記憶部４０４は放送システムに必要なソフトウエアやデータを制御部４０１から取得し格納する。
【００３６】
番組表格納部４０７は、番組表を格納し、番組表は番組コンテンツのタイムスケジュールと番組コンテンツとコンテンツエリア情報によって構成される。詳細は後述する。
【００３７】
図５は、番組関連情報サーバ１０７の構成を示す概略ブロック図である。図５に示すように番組関連情報サーバ１０７は、制御部５０１、ネットワークＩ／Ｆ５０２、ライセンス管理部５０９とコンテンツ情報管理部５１０を有する番組関連情報管理部５０３、位置情報管理部５０４、記憶部５０５によって構成され、更に記憶部５０５には、ライセンス格納部５１１とコンテンツ情報格納部５１２を有する番組関連情報格納部５０６、位置情報格納部５０７、番組表格納部５０８が構成される。以下に番組関連情報サーバ１０７の各構成の動作を説明する。
【００３８】
ネットワークＩ／Ｆ５０２は、図１記載の通信ネットワーク１０６を介して、放送局１００や通信基地局１０２と接続され、放送局１００から番組表を受信し、通信基地局１０２から番組関連情報の要求信号や移動局の位置情報を受信し、制御部５０１へ出力する。また、ネットワークＩ／Ｆ５０２は、通信基地局１０２へ送信する番組関連情報を制御部５０１から取得する。
【００３９】
記憶部５０５は、番組コンテンツを視聴するためのライセンスや番組コンテンツの関連する情報を番組関連情報格納部５０６へ格納し、通信基地局１０２から送信された移動局の位置情報を制御部５０１から取得して位置情報格納部５０７へ格納し、放送局１００から送信された番組表を制御部５０１から取得して番組表格納部５０８へ格納し、これら以外のメモリ領域に番組関連情報サーバ１０７で使用するソフトウエアやデータを格納する。
【００４０】
位置情報管理部５０４は、位置情報格納部５０７に格納されている位置情報と番組表格納部５０８へ格納されている番組表に含まれているコンテンツエリア情報とを比較し、比較した結果を制御部５０１へ出力する。
番組関連情報管理部５０３は、制御部５０１の指示に従い、番組関連情報格納部５０６に格納されたライセンスやコンテンツ情報の発行を管理する。
【００４１】
制御部５０１は、放送局１００から送信された番組表をネットワークＩ／Ｆ５０２を介して受信し、番組表格納部５０８に格納する。また、通信基地局から送信された移動局の位置情報をネットワークＩ／Ｆ５０２を介して受信し、位置情報格納部５０７に格納する。
また、制御部５０１は、位置情報管理部５０４から移動局の位置情報とコンテンツエリア情報の比較結果を取得し、番組関連情報を発行できる場合は、番組関連情報管理部５０３へ番組関連情報の発行を指示し、番組関連情報管理部５０３から番組関連情報を取得して、ネットワークＩ／Ｆ５０２を介して通信基地局１０２へ送信する。また、番組関連情報を発行できない場合は、番組関連情報否認信号をネットワークＩ／Ｆ５０２を介して通信基地局１０２へ送信する。
【００４２】
番組関連情報サーバ１０７は、移動局の位置情報と番組表に記載された番組コンテンツエリア情報とを比較し、一致した場合に番組関連情報を通信基地局１０２を経由して、移動局１０１に送信する。ここで番組関連情報とは、番組コンテンツを視聴するためのライセンスと番組コンテンツに関連するコンテンツ情報である。番組関連情報がライセンスである場合は、番組関連情報サーバ１０７はライセンスサーバとなり、番組関連情報が番組コンテンツ情報の場合は、コンテンツ情報サーバとなる。いずれの情報も、移動局の位置情報と番組表に記載された番組コンテンツエリア情報に基づいて発行されることで、狭領域で番組コンテンツを視聴できる放送システムを構築できる。
【００４３】
図６は番組表の一部であり、図1の放送局１００から放送される番組の8時から13時までを示している。空欄は放送していないことを意味する。ここでは、放送局１００から放送しているチャンネルは３つとしており、番組コンテンツ１、番組コンテンツＡなどは番組コンテンツの番組名を示し、各番組コンテンツごとに通信基地局１０２や通信基地局１０３などの番組視聴可能地域情報(以下、番組コンテンツエリア情報とする)が付加されている。番組コンテンツエリア情報は通信基地局を示す情報である。
【００４４】
図７は、マルチメディア放送システムの動作シーケンス図である。図７を参照して説明する。なお、図７で先頭にＳの付いているものはステップを示している。例えばＳ８０００はステップ８０００である。
【００４５】
放送局１００は、記憶部４０４の番組表格納部４０７へ格納している番組表を、通信ネットワーク１０６を介して、番組関連情報サーバ１０７へ送信する。番組関連情報サーバ１０７は、番組表を取得すると、記憶部５０５の番組表格納部５０８へ保存する(Ｓ８００１)。また放送局１００は、番組表を放送アンテナ４０８から移動局１０１へ放送波として送信する。移動局１０１は、番組表を受信して記憶部２０５の番組表格納部２１１へ保存する(Ｓ８００２)。移動局１０１は、移動局１０１の位置を特定し、位置情報を記憶部２０５の位置情報格納部２０９へ格納する(Ｓ８００３)。位置情報は、移動局１０１の座標情報である。移動局１０１は、通信基地局１０２へパケット呼接続要求を送信し、パケット通信を開始する(Ｓ８００４)。次に移動局１０１は、番組取得のためのライセンス要求と位置情報の送信を通信基地局１０２へ行う(Ｓ８００５)。通信基地局１０２は、移動局１０１から受信したライセンス要求と位置情報を通信ネットワーク１０６を介して、番組関連情報サーバ１０７へ送る(Ｓ８００６)。番組関連情報サーバ１０７は、ライセンス要求と位置情報を受信すると、記憶部５０５の位置情報格納部５０７へ位置情報を格納し(Ｓ８００６)、移動局１０１の要求する番組が放送局１００から受信した番組表内にあるかどうか、また、位置情報から移動局１０１が放送局１００のコンテンツエリア内であるかどうかを確認する(Ｓ８００７)。確認の方法を説明する。番組関連情報サーバ１０７は、図６に示している番組表を番組表格納部５０８に格納し、位置情報格納部５０７に移動局１０１から送られた移動局１０１の座標情報を格納している。番組関連情報サーバ１０７の位置情報管理部５０４は、位置情報格納部５０７に格納された移動局１０１の座標情報の示す位置が、移動局１０１から要求されたライセンスの番組の番組コンテンツエリア情報の示す通信基地局のセル範囲にあるかどうかを確認する。例えば、図１では、移動局１０１は通信基地局１０２のセルＣ１０２内部に位置しているので、移動局１０１の座標情報もセルＣ１０２内部を示している。ここで移動局１０１が、番組表の番組コンテンツ２のライセンスを要求していれば、番組コンテンツ２の番組コンテンツエリア情報は通信基地局１０２であるので、位置情報管理部５０４は移動局１０１の位置が番組コンテンツエリア情報の示す通信基地局のセル範囲にあると判定する。もし移動局１０１が番組コンテンツＣのライセンスを要求したら、番組コンテンツＣの番組コンテンツエリア情報は通信基地局１０３であるので、位置情報管理部５０４の確認結果は、移動局１０１の位置は番組コンテンツエリア情報の示す通信基地局のセル範囲外にあると判定する。
【００４６】
番組関連情報サーバ１０７は、位置情報管理部５０４の確認結果、ライセンスを発行できる場合は、番組関連情報管理部５０３のライセンス管理部５０９が、記憶部５０５の番組関連情報格納部５０６のライセンス格納部５１１に格納されているライセンスを取得し、制御部５０１へ出力するので、制御部５０１はライセンスを通信基地局１０２へ送信する。ライセンスを発行できない場合は、ライセンス発行要求を却下するライセンス否認信号を送信する(Ｓ８００８)。ISDB-Tmmなどのマルチメディア放送におけるストリーミングなどのコンテンツを配信するサービスでは、ライセンス管理による課金システムを構築することも検討されており、本発明の位置情報によるライセンス管理を適用することも可能である。この場合、本発明の移動局の位置情報の取得をA-GPSのみで行うようにすれば、移動局の座標の精度を高くでき、また第３者による改ざんの可能性の排除できるので、ユーザーの位置情報がより信頼性の高いものとなるので、厳密なライセンス管理を行うことができるようになる。
【００４７】
通信基地局１０２は、ネットワーク１０６を経由して、番組関連情報サーバ１０７から取得したライセンスを移動局１０１へ送信する(Ｓ８００９)。移動局１０１は、ライセンスを受信すると、通信基地局１０２とのパケット呼を切断する(Ｓ８０１０)。放送局１００は、番組コンテンツ２を放送しているので(Ｓ８０１１)、移動局１０１は、許可を受けた番組コンテンツ２の受信を開始する(Ｓ８０１２)。番組関連情報サーバ１０７から取得したライセンスは、該当する番組コンテンツを視聴できるように設定する鍵になっており、移動局１０１はライセンスを取得することで番組コンテンツを視聴できるようになる。
【００４８】
以上、説明したように実施形態１のマルチメディア放送システムは、放送番組の視聴の可否がライセンスによって管理されている放送システムで使用されるもので、番組表に視聴可能な地域を示す番組コンテンツエリア情報が記載されており、番組関連情報サーバが、この番組コンテンツエリア情報と移動局の位置とを比較し、一致した場合、視聴可能と判断してライセンスを発行するものである。放送エリア(放送波送信範囲)は通信エリア(無線通信データ送信範囲)に比べて広く、放送エリア内部にはマクロセルやマイクロセル、家庭内基地局などが多数存在しているので、本発明によって、図１５(ｂ)に示したような放送局を増設することなく、狭領域に柔軟に放送を行うことができるようになる。狭領域に放送を行うことができるようになると、情報を必要としている地域の視聴者のみが視聴できるようになり、情報を必要とせず、ライセンスを取得しない移動局は、不要な番組コンテンツを受信する必要がなくなるので、移動局の電池消耗やメモリ消費を防ぐことができ、効率のよい放送システムを構築できるという効果もある。
【００４９】
なお、上記ライセンスは、番組コンテンツを受信できるようにするものであるが、これとは別に暗号化された番組コンテンツの暗号を解く鍵を構成することもできる。これは、番組コンテンツの受信は任意に行われ、移動局の記憶部に番組コンテンツを蓄積して、ユーザーは好きなときに視聴できるダウンロード型の放送サービスで使用される。ライセンスは暗号化された番組コンテンツの暗号を解くための復号鍵になっていて、ユーザーはライセンスを取得することで蓄積した番組コンテンツを視聴する。ライセンスを有していないと、暗号を解くことが出来ない。このようにしても地域に関連した放送のみの視聴を許可することができるようになる。
【００５０】
［実施形態２］
実施形態２を図８、図９を参照して説明する。実施形態２のマルチメディア放送システムは、番組表の構成が異なるのみで、移動局、放送局、番組関連情報サーバなどは実施形態１と同様であるので、説明を省略し違いのみを説明する。実施形態1では、番組表に記載された番組コンテンツエリア情報は通信基地局を示す情報であったが、その場合、図８のように通信基地局のセル範囲Ｃ１０２中に、Ｋ市、Ｔ市があると、Ｔ市のみに放送したい放送番組をＫ市にも放送してしまい、地域に特化した放送を行えないことがある。また、この場合、Ｋ市では無関係な放送番組を受信してしまう。
【００５１】
実施形態２は、セル範囲が都道府県や市町村などの地域を複数含んでも、地域に関連した放送データのみ受信できるようにする実施形態であり、番組表の番組コンテンツエリア情報を図９のように記載する。図９は、番組コンテンツエリア情報が、Ｔ市、Ｋ市のように都道府県や市町村など地域名の記載になっている。番組コンテンツエリア情報を図９のように記載し、実施形態１と同様に、移動局の位置情報と番組コンテンツエリア情報から、移動局が番組コンテンツエリア情報に記載された地域に存在しているかどうかを判定する。例えば、ライセンスサーバが、Ｔ市やＫ市などの領域を示す座標をデータベースとして有し、移動局の位置情報と比較する。また、都道府県や市町村とは異なる領域を定義することも可能である。例えば、高速道路のパーキングエリアやイベント会場のような局所的な領域を定義し、番組コンテンツエリア情報へ記載する。
以上のように構成することによって、実施形態１とは異なり、通信基地局のセル範囲に依存せず、都道府県や市町村などから更に局所的な領域にライセンス管理されたマルチメディア放送を行うことができる。
【００５２】
［実施形態３］
図１０を参照して実施形態３を説明する。実施形態１、２は、番組関連情報サーバ１０７が、移動局１０１の位置によって、移動局が地域限定番組の番組コンテンツを視聴するためのライセンスを発行するかどうかを判定する実施形態であった。実施形態３は、番組関連情報サーバ１０７が、移動局１０１の位置情報によって、地域限定番組の番組コンテンツ情報を移動局に送信する放送システムである。移動局１０１は番組関連情報サーバの送信する番組コンテンツ情報をライセンスに関係なく受信することが可能である。また、不要な場合は受信しないことも可能である。以下に詳細を説明する。なお、実施形態３は、実施形態１、２で機能した図５に示す番組関連情報サーバ１０７のライセンス管理部５０９とライセンス格納部５１１に代わって、コンテンツ情報管理部５１０とコンテンツ情報格納部５１２が機能する。これら以外の構成は、実施形態１、２と同じであるので説明を省略する。
【００５３】
図１０は実施形態３におけるマルチメディア放送システムの動作シーケンス図である。  放送局１００は、番組表を番組関連情報サーバ１０７へ送信する(Ｓ１００１)。ユーザーがマルチメディア放送システムのアプリを起動すると(Ｓ１００２)、移動局は現在位置情報を取得する(Ｓ１００３)。実施形態１は、放送局１００から番組を受信したり、もしくは起動時など、任意のタイミングで現在位置を取得しているが、実施形態３のＳ１００２はユーザーの手動によるアプリ起動操作によって、位置情報を取得している。ただし、本発明はこれに限定されず、実施形態１、２と同様に任意のタイミングでもよい。またＳ１００３は、A-GPS(Assisted- Global Positioning System)を利用して位置確認を行うために、通信基地局から情報を取得しているが、位置情報の取得は他の方法でも構わない。
【００５４】
位置情報の確認を終了すると、通信基地局とパケット呼接続を行い(Ｓ１００４)、位置情報を通信基地局を経由して番組関連情報サーバ１０７へ送る(Ｓ１００５、Ｓ１００６)。番組関連情報サーバ１０７は位置情報を確認すると、Ｓ１００１で取得した番組表と比較する(Ｓ１００７)。番組表には実施形態１、２と同様に番組コンテンツエリア情報が記載されており、番組関連情報サーバ１０７は、移動局から提供された位置情報が番組コンテンツエリアと一致していたら、コンテンツ情報格納部５１２に格納された番組コンテンツに関連した情報を通信基地局を経由して移動局１０１へ送信し、一致していない場合は移動局の位置に関連した番組コンテンツはないことを通知する(Ｓ１００８、Ｓ１００９、Ｓ１０１０)。なお、コンテンツ情報格納部５１２に格納された番組コンテンツに関連した情報は、Ｔ市向け、Ｘ県向けといった地域情報や料理や報道など番組コンテンツ情報など様々である。また、このような番組コンテンツ情報は、放送局１００から番組関連情報サーバ１０７へ番組表と共に送信されて格納されても良いし、番組関連情報サーバ１０７の運営者が作成して格納するものでもよい。ユーザーは、メッセージを見て、番組コンテンツを受信したい場合は、端末(移動局)を操作し(Ｓ１０１１)、放送局から配信されている(Ｓ１０１２)番組コンテンツを受信する(Ｓ１０１３)。
以上、説明したように実施形態３のマルチメディア放送システムのは、移動局の位置に関連した番組コンテンツの情報を番組関連情報サーバ１０７が移動局へ提供し、ユーザーが受信するかどうかの判断を行い、受信する場合は移動局を操作して受信するものである。  
【００５５】
ライセンス管理を目的としないので、番組関連情報サーバ１０７による位置情報の比較も、例えば、番組コンテンツエリア情報がＫ市で番組コンテンツがＫ市用で、移動局の位置がＴ市であっても、Ｋ市とＴ市が近隣であったり、同じ都道府県であったら、番組コンテンツ情報を送信するようにしてもよい。また、番組コンテンツ情報は、地域情報や料理や報道など番組に関連した情報ではなく、番組を受信できることを意味するだけの「RECOMMENDメッセージ」のような簡易メッセージを送信するようにしてもよい。
【００５６】
実施形態３におけるマルチメディア放送システムでも、図１５(ｂ)に示したような放送局を増設することなく、狭領域に放送を行うことができる。また、使用者は番組関連情報サーバ１０７から使用者の存在する位置に関係する番組コンテンツの情報を受信するので、基本的に不要な番組コンテンツを受信することがなくなるが、受信した番組コンテンツ情報を見て、受信するかどうかの判断を行えるので、更に不要な番組コンテンツを受信することがなくなり、移動局の電池消耗やメモリ消費を防ぐことができるようになる。また実施形態１、２と異なりライセンス管理を目的としないので、使用者の位置に関係する狭領域向けの番組コンテンツの情報を柔軟にやりとりできるという効果がある。
【００５７】
［実施形態４］
実施形態４を図１１から１４を参照して説明する。実施形態１、２は、移動局が在圏している通信基地局や、移動局が存在している地域(都道府県や市町村区)によって、番組コンテンツの視聴の可否をライセンス管理するマルチメディア放送システムであった。それに対し、実施形態４は、未来に放送エリア内にいる場合(未来の位置座標)を想定した番組コンテンツの視聴の可否をライセンス管理するマルチメディア放送システムの実施形態である。
【００５８】
実施形態４は、図１１のように移動局１１０が放送エリアＡ１００内部の通信基地局１０２のセルＣ１０２に在圏している場所から、放送局２００の番組コンテンツを受信できる放送エリアＡ２００内部に形成される通信基地局１０４のセルＣ１０４へ移動することを想定している。移動局１１０が、セルＣ１０２に在圏している時点で移動することを予測し、放送局２００のライセンスの要求と受信を行い、移動局１１０が実際に通信基地局１０４のセルＣ１０４に移動したら、番組コンテンツを受信するものである。
【００５９】
図１２に移動局１１０の構成を示す。図１２の構成の大部分は図２と同じであるので説明を省略し、実施形態４に関連する部分のみ説明する。図１２記載の移動局１１０は、記憶部２０５に観光情報２１９とイベント情報２２０のデータベースを有している。これは移動局１１０がＷＥＢサイトから自動で取得したり、ユーザーが入力するなどして蓄積するもので、少なくとも観光地やイベント会場の位置情報が含まれている。また、移動局１１０は記憶部２０５に過去到達地２２１のデータベースを有している。これは、過去に訪れたことのある地域の位置情報である。また、移動局１１０は記憶部２０５にスケジュール帳２２２のデータベースを有している。移動局１１０は未来位置予測機能部２１８を有している。
【００６０】
未来位置予測機能部２１８は、記憶部２０５のデータベースを使用して、移動局１１０の未来における位置を予測する。例えば、未来位置予測機能部２１８が、位置情報格納部２０９から移動局１１０の現在位置情報を、観光情報２１９やイベント情報２２０から観光地やイベント開催地の位置情報を、それぞれ取得して移動局１１０の未来の位置を予測する。これは、移動局１１０の現在位置と観光地やイベント開催地との距離が一定値以下になったら未来位置と判定する。または、位置情報格納部２０９から移動局１１０の現在位置情報を、過去到達地２２１から過去に訪れた場所情報を、それぞれ取得して移動局１１０の未来の位置を予測する。過去に訪れた場所の情報は、過去に移動局１１０が在圏した通信基地局から入手した位置情報や、放送局から受信した番組表に記載された位置情報、もしくはナビゲーション機能を使用したときの移動履歴などがあるが、これに限定されない。この場合も、移動局１１０の現在位置と過去到達地との距離が一定値以下になったら未来位置と判定する。または、位置情報格納部２０９から移動局１１０の現在位置情報を、スケジュール帳２２２に訪問予定地が記載されていれば訪問予定地を、それぞれ取得して移動局１１０の未来の位置を予測する。未来位置予測機能部２１８は、このようにして予測した移動局１１０の未来位置を制御部２０１へ出力する。制御部２０１は、未来位置予測機能部２１８から取得した移動局の未来位置を、無線信号部２０７と無線部２０３での処理を経て、無線通信アンテナ２１３から通信基地局１０２へ送信する。
【００６１】
図１３は、マルチメディア放送システムの動作シーケンス図である。図１３を参照して説明する。移動局１１０は、図１１の通信基地局１０２のセルＣ１０２に在圏しているとする。放送局１００は、放送局１００で放送する番組コンテンツが記載された番組表と放送局２００で放送する番組コンテンツが記載された番組表を、通信ネットワーク１０６を介して、番組関連情報サーバ１０７へ送信する(Ｓ１４０１)。また、放送局１００は、放送局１００で放送する番組コンテンツが記載された番組表と放送局２００で放送する番組コンテンツが記載された番組表を放送アンテナ４０８から移動局１１０へ放送波として送信する(Ｓ１４０２)。
【００６２】
移動局１１０は、移動局１１０の位置を特定し、位置情報を記憶部２０５の位置情報格納部２０９へ格納する(Ｓ１４０３)。なおＳ１４０３では、移動局１１０の位置の特定を、A-GPSを利用して行う例を示しているが、これに限定されない。移動局１１０は未来位置予測を行うためにＷＥＢサイトから観光地やイベントなどの情報を取得し、記憶部２０５に観光情報２１９やイベント情報２２０として格納する(Ｓ１４０４)。移動局１１０の未来位置予測機能部２１８は、Ｓ１４０４で取得した情報に加えて、過去到達地２２１やスケジュール帳２２２などのデータベースと、Ｓ１４０３で取得した現在位置情報から未来位置を予測する(Ｓ１４０５)。ここでは予測された未来位置は、図１１の通信基地局１０４のセルＣ１０４の内部にあるとしている。
【００６３】
未来位置予測を行うと移動局１１０は通信基地局１０４で視聴できる番組コンテンツのライセンス要求と未来位置の予測結果である未来位置情報を通信基地局１０２へ送信する(Ｓ１４０６)。通信基地局１０２は、移動局１１０から受信したライセンス要求と未来位置情報を通信ネットワーク１０６を介して、番組関連情報サーバ１０７へ送る(Ｓ１４０７)。番組関連情報サーバ１０７は、ライセンス要求と位置情報を受信すると、記憶部５０５のライセンス格納部５１１と位置情報格納部５０７へそれぞれ格納し、移動局１１０の要求する番組が放送局１００から受信した放送局２００用の番組表内にあるかどうか、また、未来位置情報が放送局２００の放送エリアであるかどうかを確認する(Ｓ１４０８)。
【００６４】
番組関連情報サーバ１０７による確認の方法を説明する。番組関連情報サーバ１０７は、図１４に示している番組表を番組表格納部５０８に格納している。なお図１４の番組表は、移動局１１０もＳ１４０２で受信している。図１４の上図は放送局１００から放送される番組の番組表であり、下図は放送局２００から放送される番組の番組表である。例えば、移動局１１０が、番組コンテンツ３を視聴するためのライセンスの要求と、未来位置予測情報として通信基地局１０４を番組関連情報サーバ１０７へ送ると、番組関連情報サーバ１０７は番組表を調べ、番組コンテンツ３が番組表内にあることと、番組コンテンツ３は通信基地局１０４で放送されることを確認する。
【００６５】
番組関連情報サーバ１０７は、確認が終了すると、番組ライセンスを通信基地局１０２へ発行する(Ｓ１４０９)。もし、移動局１１０が番組コンテンツＣのライセンスの要求と未来位置予測情報として通信基地局１０４を送信していたら、番組関連情報サーバ１０７は、番組コンテンツＣは番組表内にあるものの通信基地局１０４のエリアではないと認識し、ライセンス発行要求を却下するライセンス否認信号を通信基地局１０２へ送信する。通信基地局１０２が番組ライセンスを移動局１１０へ送信すると(Ｓ１４１０)、パケット呼を切断する信号を通信基地局１０２へ送信する(Ｓ１４１１)。
【００６６】
図１１で移動局１１０が移動する(図１３ではＳ１４１２)。移動局１１０は、ATF(Always Tracking Function)等のＧＰＳ機能を使用して、セル移動を検出しつつ通信基地局１０４からA-GPSアシスト情報を取得して位置確認を行い、番組コンテンツＣを視聴できる放送エリアにいることを確認する(Ｓ１４１３)。なお、Ｓ１４１３では、ATF機能と、A-GPSを使用する実施形態であるが、これに限定されない。ATF機能は、通信セルが変更される毎にＧＰＳ測位を行うものなので、セル移動の検出をスムーズに行うことができ、A-GPSは移動局の精度の高い位置特定を行うことができるが、通信基地局１０４に在圏することと放送エリアＡ２００内にいることを検出できれば、ATFやA-GPSを使用しなくてもよい。
【００６７】
移動局１１０は、通信基地局１０４とのパケット呼を切断する(Ｓ１４１４)。放送局２００は、番組コンテンツＣを放送しているので(Ｓ１４１５)、移動局１１０は、許可を受けた番組コンテンツＣの受信を開始する(Ｓ１４１６)。番組関連情報サーバ１０７から取得したライセンスは、該当する番組コンテンツを受信できるように設定する鍵になっており、移動局１１０はライセンスを取得することで番組コンテンツを受信できるようになる。よって、ライセンスを取得していない移動局は、不要な番組コンテンツを受信する必要がなくなる。
【００６８】
このように移動局の現在の位置とイベント情報やスケジュール帳などの位置情報から未来位置を予測して、ライセンスの要求やライセンスの発行を行い、実際に移動したら番組コンテンツを受信する。このような未来位置予測による番組コンテンツの受信は、ユーザーの操作によって開始してもよいし、自動でも実行できる。
【００６９】
また位置情報だけではなく時間情報を使用することも出来る。例えば、移動局１１０が８時の時点に図１１のＣ１０２に在圏していて、スケジュール帳２２２のデータベースに１３時に通信基地局１０４のセルＣ１０４の地域にいることが登録されているとする。この場合、未来位置予測機能部２１８は、スケジュール帳２２２からＣ１０４を示す未来位置情報と図１４の番組表から番組コンテンツＦと番組コンテンツＶのライセンス要求を通信基地局を経て番組関連情報サーバ１０７へ送る。移動局１１０がＣ１０４へ移動した時点で受信を開始してもよいし、Ｃ１０４へ移動して１３時になるのを待って受信することもできる。また、このような時間による受信は、スケジュール帳データベースに限定するものではなく、時刻による受信を開始できるものならなんでもよい。例えば、ユーザーが番組表の視聴したい番組をタイマー予約するものである。予約した番組の放送時間を未来時間情報として使用し、放送時間に受信可能な場所にいれば予約した番組を受信する。もしくは、上述した観光情報２１９やイベント情報２２０に放送番組の時刻情報が記載されていたら、該当する放送番組を番組表から抽出してライセンス要求を送信する。
【００７０】
以上、説明したように実施形態４のマルチメディア放送システムは、移動局の未来の位置や時間を想定して、番組コンテンツの視聴の可否をライセンス管理するマルチメディア放送システムの実施形態である。なお、実施形態３のように、番組関連情報サーバ１０７ではなく番組関連情報サーバ１０７を構成し、移動局の未来の位置や時間を想定して、移動局の未来の位置や時間に関連した番組コンテンツの情報を番組関連情報サーバ１０７が移動局へ提供し、ユーザーが未来の位置や時間に、受信するかどうかの判断を行い、受信する場合は移動局を操作して未来の位置や時間になったら受信するようにしてもよい。
実施形態４におけるマルチメディア放送システムにより、実施形態１から３と同様の効果の他に、現在だけなく未来の視聴を予約することが可能になるので利便性が高くなるという効果がある。
【産業上の利用可能性】
【００７１】
本発明は、マルチメディア放送を行う放送システム、マルチメディア放送を行う放送システムを構成する移動局、放送局、通信基地局、番組関連情報サーバなどに広く用いることができる。
【符号の説明】
【００７２】
１００、２００、１０００、１００１、１００２、１００３・・・放送局、
１０１、１１０、２００１、２００２、２００３・・・移動局、
１０２、１０３、１０４、１０５・・・通信基地局、
Ａ１００、Ａ２００、Ａ１０００・・・放送エリア、
Ｃ１０２、Ｃ１０３、Ｃ１０４、Ｃ１０５・・・セル範囲、
１０６・・・通信ネットワーク、
１０７・・・番組関連情報サーバ、
２０１、３０１、４０１、５０１・・・制御部、
２０２・・・放送受信部、
２０３、３０３・・・無線部、
２０４・・・位置情報取得部、
２０５、３０４、４０４、５０５・・・記憶部、
２０６、４０５・・・放送信号処理部、
２０７、３０５・・・無線信号処理部、
２０８、５０６・・・番組関連情報格納部、
２０９、５０７・・・位置情報格納部、
２１０・・・コンテンツ格納部、
２１１、４０７、５０８・・・番組表格納部、
２１２、４０８・・・放送アンテナ、
２１３、３０６・・・無線通信アンテナ、
２１４・・・ＧＰＳアンテナ
２１５・・・表示部
２１８・・・未来位置予測機能部、
２１９・・・観光情報、
２２０・・・イベント情報、
２２１・・・過去到達地、
２２２・・・スケジュール帳
２１６、５１１・・・ライセンス格納部
２１７、５１２・・・コンテンツ情報格納部
３０２、４０３、５０２・・・ネットワークインターフェース、
４０２・・・放送送信部、
４０６・・・番組コンテンツ管理部、
５０３・・・番組関連情報管理部、
５０４・・・位置情報管理部、
５０９・・・ライセンス管理部、
５１０・・・コンテンツ情報管理部、
【図１】
2012039418.tif 000003
【図２】
2012039418.tif 000004
【図３】
2012039418.tif 000005
【図４】
2012039418.tif 000006
【図５】
2012039418.tif 000007
【図６】
2012039418.tif 000008
【図７】
2012039418.tif 000009
【図８】
2012039418.tif 000010
【図９】
2012039418.tif 000011
【図１０】
2012039418.tif 000012
【図１１】
2012039418.tif 000013
【図１２】
2012039418.tif 000014
【図１３】
2012039418.tif 000015
【図１４】
2012039418.tif 000016
【図１５】
2012039418.tif 000017